(57)【要約】【課題】コンテンツの視聴を中止した場合に、中止したコンテンツの視聴を少ないタイムロスで別な再生装置で再開することができる情報視聴システムを提供する。【解決手段】自身に装着されたディスク１に記憶されているコンテンツを視聴することができる第１再生装置２１と、第２再生装置２２とを備え、第１再生装置２１は、コンテンツの視聴が中止されたことに基づいて、中止時に視聴していたコンテンツを特定するコンテンツ特定情報と、再生が中止されたとき中止位置情報とを含んだ中止時点情報を第２再生装置２２へ送信する。第２再生装置２２は、コンテンツ特定情報が示すコンテンツが記憶された記憶媒体が装着されている場合、中止位置情報が示す位置からコンテンツの再生を開始する。【選択図】図１
2009201068.tif 000002
【特許請求の範囲】
【請求項１】
自身に装着された記憶媒体に記憶されている情報および放送されている情報の少なくとも一方を視聴することができる第１視聴装置と、第２視聴装置とを備えた情報視聴システムであって、
前記第１視聴装置は、情報の視聴が中止されたことに基づいて、中止時に視聴していた情報の視聴を再開するために必要な中止時点情報を前記第２視聴装置へ送信し、
前記第２視聴装置は、前記中止時点情報に基づいて情報の出力を開始することを特徴とする情報視聴システム。
【請求項２】
請求項１において、
前記第１視聴装置は、自身に装着された記憶媒体に記憶されている情報の視聴ができる装置であり、その記憶媒体に記憶されている情報の視聴が中止されたことに基づいて、視聴していた情報を特定する特定情報と、視聴が中止されたときの情報の中止位置とを前記中止時点情報として前記第２視聴装置へ送信し、
前記第２視聴装置は、自身に装着された記憶媒体に記憶されている情報を視聴できる装置であり、前記中止時点情報を受信し、且つ、自身に記憶媒体が装着されている場合には、その中止時点情報に基づいて、自身に装着された記憶媒体に記憶されている情報の出力を開始することを特徴とする情報視聴システム。
【請求項３】
請求項１において、
前記第１視聴装置は、放送されている情報の視聴ができる装置であり、放送されている情報の視聴が中止されたことに基づいて、視聴が中止されたときの放送のチャンネル情報を前記中止時点情報として前記第２視聴装置へ送信し、
前記第２視聴装置は、放送されている情報を視聴することができる装置であり、前記中止時点情報を受信したことに基づいて、その中止時点情報に基づいて定まるチャンネルの放送の受信を開始することを特徴とする情報視聴システム。
【請求項４】
請求項２において、
前記第１視聴装置は、車両に固定されるものであって、目的地を設定して目的地までの到着予定時間を決定できるようになっており、前記中止時点情報を前記第２視聴装置へ送信することに加え、前記記憶媒体に記憶されている情報の視聴が目的地に到着するまでに終了しないと判断したことに基づいて、前記記憶媒体に記憶されている記憶データのうち目的地到着以降に前記第２視聴装置で再生が予想される部分の記憶データを、再生予想データとして前記目的地に到着した時またはその前に前記第２視聴装置へ送信するようになっており、
前記第２視聴装置は、ユーザに携帯されるものであって、自身に装着された書き込み可能な記憶媒体に記憶されている情報を視聴できるようになっており、前記再生予想データを受信した場合には、自身の記憶媒体にその再生予想データを記憶し、且つ、前記中止時点情報を受信した場合には、その中止時点情報に基づいて、自身に装着された記憶媒体に記憶されている再生予想データの再生を行なうことを特徴とする情報視聴システム。
【請求項５】
請求項４において、
さらに、自身に装着された記憶媒体に記憶されている情報を視聴することができる第３視聴装置を備え、
前記第２視聴装置は、再生予想データの再生が中止された場合、または、その再生予想データの再生が終了したが、その再生予想データが情報の最後までのデータとなっていないために情報の再生が中止となった場合、再生していた情報を特定する特定情報と、視聴が中止されたときの情報の中止位置とを前記中止時点情報として前記第３視聴装置へ送信し、
前記第３視聴装置は、前記中止時点情報を受信し、且つ、自身に記憶媒体が装着されている場合には、その中止時点情報に基づいて、自身に装着された記憶媒体に記憶されている情報の出力を開始することを特徴とする情報視聴システム。
【発明の詳細な説明】
【技術分野】
【０００１】
本発明は、情報視聴システムに関し、特に、複数の視聴装置を備え、ある情報の視聴を中止し、中止した情報の視聴を別な視聴装置で再開することができる情報視聴システムに関する。
【背景技術】
【０００２】
従来、たとえば特許文献１に記載されているように、コンテンツサーバから受信されるコンテンツの視聴を途中で中止したときに、次回にその中止位置からの再視聴を容易に行なうようにしたコンテンツ視聴システムが知られている。
【０００３】
この特許文献１に記載のコンテンツ視聴システムは、コンテンツの再生を途中で中止した場合、ユーザが所持する応答器にコンテンツ情報を書き込み、次回に視聴を再開する場合には、視聴装置は、その応答器からコンテンツ情報を読み出し、読み出したコンテンツ情報をコンテンツサーバへ送信する。これによって、コンテンツ情報に基づいて定まる中止位置を開始データとするコンテンツデータがコンテンツサーバから配信されてくるので、コンテンツを中止位置から再視聴することができる。
【特許文献１】特開２００３−２９９０６４号公報
【発明の開示】
【発明が解決しようとする課題】
【０００４】
しかし、特許文献１のシステムは、コンテンツサーバから配信されてくるコンテンツを視聴するシステムである。そのため、ＣＤなどの記憶媒体に記憶されているコンテンツの再生を中止して、途中から別の装置にて視聴を再開する場合には、特許文献１のシステムは適用できない。また、テレビやラジオの視聴を中止して、別な視聴装置で同チャンネルの視聴を再開する場合にも特許文献１のシステムは適用できない。
【０００５】
加えて、特許文献１のシステムは、視聴を再開するのに時間がかかるという問題もある。詳しくは、特許文献１のシステムでは、視聴を中止する際に、ユーザが所持する応答器にコンテンツ情報を書き込む必要があり、且つ、視聴を再開する際には、応答器に書き込まれたコンテンツ情報を視聴装置が読み出した上で、視聴装置はコンテンツサーバにアクセスして認証を行なわなければならないため、視聴を再開するのに時間がかかるのである。
【０００６】
本発明は、この事情に基づいて成されたものであり、その目的とするところは、情報の視聴を中止した場合に、中止した情報の視聴を少ないタイムロスで別な視聴装置で再開することができる情報視聴システムを提供することにある。
【課題を解決するための手段】
【０００７】
その目的を達成するための請求項１記載の発明は、自身に装着された記憶媒体に記憶されている情報および放送されている情報の少なくとも一方を視聴することができる第１視聴装置と、第２視聴装置とを備えた情報視聴システムであって、前記第１視聴装置は、情報の視聴が中止されたことに基づいて、中止時に視聴していた情報の視聴を再開するために必要な中止時点情報を前記第２視聴装置へ送信し、前記第２視聴装置は、前記中止時点情報に基づいて情報の出力を開始することを特徴とする。
【０００８】
このように、第１視聴装置から第２視聴装置へ、視聴を再開するために必要な中止時点情報を送信するようにすれば、第２視聴装置が応答器から中止時点情報を取得した上で、サーバへアクセスし、ユーザ認証を経て中止時点情報をサーバへ送信する場合に比較して、中止した情報の視聴を第２視聴装置で再開するための手順が単純になることから、少ないタイムロスで視聴を再開することができる。
【０００９】
請求項２は、請求項１において、前記第１視聴装置は、自身に装着された記憶媒体に記憶されている情報の視聴ができる装置であり、その記憶媒体に記憶されている情報の視聴が中止されたことに基づいて、視聴していた情報を特定する特定情報と、視聴が中止されたときの情報の中止位置とを前記中止時点情報として前記第２視聴装置へ送信し、
前記第２視聴装置は、自身に装着された記憶媒体に記憶されている情報を視聴できる装置であり、前記中止時点情報を受信し、且つ、自身に記憶媒体が装着されている場合には、その中止時点情報に基づいて、自身に装着された記憶媒体に記憶されている情報の出力を開始することを特徴とする。
【００１０】
このようにすれば、ユーザが、第２視聴装置で中止位置から視聴を再開しようとする場合、第１視聴装置に装着されている記憶媒体を第２視聴装置に装着すれば、少ないタイムロスで中止位置から視聴を再開することができる。
【００１１】
請求項３は、請求項１において、前記第１視聴装置は、放送されている情報の視聴ができる装置であり、放送されている情報の視聴が中止されたことに基づいて、視聴が中止されたときの放送のチャンネル情報を前記中止時点情報として前記第２視聴装置へ送信し、
前記第２視聴装置は、放送されている情報を視聴することができる装置であり、前記中止時点情報を受信したことに基づいて、その中止時点情報に基づいて定まるチャンネルの放送の受信を開始することを特徴とする。
【００１２】
このようにすれば、ユーザが、第２視聴装置で放送の視聴を再開しようとする場合、放送のチャンネルを設定することなく視聴を再開することができる。
【００１３】
請求項４は、請求項２において、前記第１視聴装置は、車両に固定されるものであって、目的地を設定して目的地までの到着予定時間を決定できるようになっており、前記中止時点情報を前記第２視聴装置へ送信することに加え、前記記憶媒体に記憶されている情報の視聴が目的地に到着するまでに終了しないと判断したことに基づいて、前記記憶媒体に記憶されている記憶データのうち目的地到着以降に前記第２視聴装置で再生が予想される部分の記憶データを、再生予想データとして前記目的地に到着した時またはその前に前記第２視聴装置へ送信するようになっており、
前記第２視聴装置は、ユーザに携帯されるものであって、自身に装着された書き込み可能な記憶媒体に記憶されている情報を視聴できるようになっており、前記再生予想データを受信した場合には、自身の記憶媒体にその再生予想データを記憶し、且つ、前記中止時点情報を受信した場合には、その中止時点情報に基づいて、自身に装着された記憶媒体に記憶されている再生予想データの再生を行なうことを特徴とする。
【００１４】
このようにすれば、車両での移動中に情報の視聴を中止した場合に、携帯型の第２視聴装置でその視聴を再開することができる。しかも、再生予想データが第２視聴装置に送信されることから、第１視聴装置から記憶媒体を取り出し、その記憶媒体を第２記憶媒体に装着する必要もない。そのため、第２視聴装置が、第１視聴装置の記憶媒体を装着不能な構成であっても、第２視聴装置にて中止位置から視聴を再開することができる。
【００１５】
請求項５は、請求項４において、さらに、自身に装着された記憶媒体に記憶されている情報を視聴することができる第３視聴装置を備え、
前記第２視聴装置は、再生予想データの再生が中止された場合、または、その再生予想データの再生が終了したが、その再生予想データが情報の最後までのデータとなっていないために情報の再生が中止となった場合、再生していた情報を特定する特定情報と、視聴が中止されたときの情報の中止位置とを前記中止時点情報として前記第３視聴装置へ送信し、
前記第３視聴装置は、前記中止時点情報を受信し、且つ、自身に記憶媒体が装着されている場合には、その中止時点情報に基づいて、自身に装着された記憶媒体に記憶されている情報の出力を開始することを特徴とする。
【００１６】
このようにすれば、携帯型の第２視聴装置から、さらに、別な視聴装置である第３視聴装置へ視聴を引き継ぐことができ、且つ、第３視聴装置も、自身に装着されている記憶媒体に記憶されている情報を用いるものであり、サーバへアクセスするものではないことから、第３視聴装置にて視聴を再開する際にもタイムロスが少ない。
【発明を実施するための最良の形態】
【００１７】
以下、本発明の実施形態を図面に基づいて説明する。図１は、本発明の第１実施形態となる情報視聴システム１０の構成を示す図である。この情報視聴システム１０は、第１再生装置２１と第２再生装置２２とを備えている。本実施形態の第１再生装置２１および第２再生装置２２は、家屋内に設置されるものであってもよいし、車両などの移動体に設置されるものであってもよい。また、携帯可能な装置であってもよい。なお、これらはそれぞれ請求項の第１視聴装置、第２視聴装置に相当する。
【００１８】
ディスク１はディスク型の記憶媒体であり、音楽および映像の一方または両方のデータが記憶されている。第１再生装置２１はこのディスク１を装着および取り出し可能になっており、ディスク１を装着した状態では、ディスク１に記憶されている情報を再生可能な装置である。第１再生装置２１は、自身に装着したディスク１に映像データが記憶されている場合、ディスプレイ２１１に映像を出力し、そのディスク１に音楽データが出力されている場合には、図示しないスピーカから音楽を出力する。以下では、音楽データおよび映像データを総称して視聴データということもある。また、視聴データが再生されることによりユーザが視聴できる情報をコンテンツということもとある。
【００１９】
第１再生装置２１は図示しない操作スイッチ群および送信装置を備えている。送信装置は、第２再生装置２２に備えられている受信装置に、後述する中止時点情報を送信する装置である。この送信装置と第２再生装置２２の受信装置との間の通信は無線であっても有線であってもよい。
【００２０】
第１再生装置２１の操作スイッチ群はユーザがディスク１の再生・停止を指示するために操作するものである。また、操作スイッチ群には送信釦が含まれている。この送信釦は中止時点情報の送信を指示するための釦である。さらに、操作スイッチ群を操作することにより、連続再生モードのオン・オフを切り替えることができる。この連続再生モードがオンに設定されていると、コンテンツの視聴が途中で中止された場合に、自動的に第２再生装置２２へ中止時点情報を送信する。ただし、中止時点情報の送信は、送信釦により指示することもできるので、連続再生モードの設定はなくてもよい。反対に、連続再生モードが設定可能であれば送信釦を設けなくてもよい。
【００２１】
上記中止時点情報は、コンテンツを特定するコンテンツ特定情報と、再生が中止されたとき中止位置情報を含んだ情報である。コンテンツ特定情報は、コンテンツ名や、コンテンツのコードなどである。中止位置情報は、再生時間や、中止時点のデータが記憶されているアドレスなどである。
【００２２】
第２再生装置２２は、第１再生装置２１と同種類の記憶媒体（すなわち本実施形態ではディスク１）が着脱可能、且つ、記憶媒体が装着された状態では、その記憶媒体に記憶されているコンテンツが再生可能な装置である。また、出力装置として、ディスプレイ２２１および図示しないスピーカを備えている。
【００２３】
また、第２再生装置２２は、前述のように、受信装置を備えており前述の中止時点情報を受信することができる。そして、中止時点情報を受信し、且つ、中止時点情報に含まれているコンテンツ特定情報によって特定されるコンテンツが、自身に装着されている記憶媒体に記憶されており、ユーザによって再生開始指示操作が行なわれた場合には、中止時点情報に含まれる中止位置情報に基づいて定まる位置から、記憶媒体に記憶されているコンテンツの再生を開始する。上記再生開始指示操作は再生開始釦の操作に限られず、記憶媒体の装着を再生開始指示操作としてもよい。
【００２４】
上記構成を有する本実施形態の情報視聴システム１０において、第１再生装置２１で視聴していたコンテンツを途中から第２再生装置２２で視聴する場合の操作の流れを図１を用いて説明する。
【００２５】
まず、ディスク１を第１再生装置２１へ装着し、その後、所定の操作を行なうことにより、ディスク１に記憶されているコンテンツの再生を開始する。その後、コンテンツの再生途中で視聴を中止した場合、ディスク１を第１再生装置２１から取り出す。このとき、連続再生モードがオンであれば、中止時点情報を送信するための操作は行う必要がないが、そのモードがオフまたはそのモードが設けられていないときには、送信釦を押して中止時点情報の送信指示を行なう。これによって、第２再生装置２２はその中止時点情報を受信することができる。その後、ディスク１を第２再生装置２２へ装着するとともに、再生開始釦の操作などの必要な再生開始指示操作を行なうと、中止した位置からコンテンツの再生が行われる。
【００２６】
従って、特許文献１のように、第２視聴装置が応答器から中止時点情報を取得した上で、サーバへアクセスし、ユーザ認証を経て中止時点情報をサーバへ送信する場合に比較して、中止した情報の視聴を第２再生装置２２で再開するための手順が単純になる。そのため、少ないタイムロスで視聴を再開することができる。
【００２７】
次に、本発明の第２実施形態を説明する。図２は、第２実施形態の情報視聴システム３０の構成を示す図である。この情報視聴システム３０は、カーナビゲーションシステム（以下、カーナビという）４０と、携帯端末５０と、再生装置６０とを備えている。これらは、それぞれ請求項の第１、第２、第３視聴装置に相当する。
【００２８】
カーナビ４０は、車両に搭載される装置であって、経路案内機能とコンテンツ再生機能とを備えている。経路案内機能は、目的地を設定してその目的地までの経路案内をする機能であり、ユーザによって目的地が設定されると、目的地までの経路を探索するとともに、目的地への到着予定時間を算出する。
【００２９】
カーナビ４０は、ディスク１を装着および取り出し可能になっており、コンテンツ再生機能は、自身に装着されたディスク１に記憶されているコンテンツを再生する機能である。また、カーナビ４０は、複数の操作スイッチ４１および図示しない無線送信装置を備えている。無線送信装置は、ブルートゥースなどの通信方式により、携帯端末５０に備えられている無線受信装置に第１実施形態と同じ中止時点情報を送信する装置である。
【００３０】
操作スイッチ４１には、ユーザがディスク１の再生・停止を指示するために操作するスイッチが含まれている。また、操作スイッチ４１には送信釦が含まれている。この送信釦は、前述の実施形態と同様に、中止時点情報の送信を指示するための釦である。また、カーナビ４０においても、操作スイッチ４１を操作することにより、連続再生モードのオン・オフを切り替えることができる。
【００３１】
さらに、カーナビ４０は、目的地への到着予想時間と、再生中のコンテンツの再生終了時間とを比較して、コンテンツの再生が到着予想時間までに終了しないと判断した場合には、目的地への到着以降に携帯端末５０で再生が予想される部分のコンテンツのデータをディスク１から抽出して転送コンテンツデータを作成する。この転送コンテンツデータは目的地到着時またはその前に携帯端末５０へ送信する。なお、この転送コンテンツデータは請求項の再生予想データに相当するものである。
【００３２】
転送コンテンツデータの開始位置は、目的地到着時点にて予想される再生位置、または、その再生位置から目的地到着時刻の予想誤差を考慮した再生位置である。転送コンテンツデータの終了位置は、そのコンテンツのデータの終了位置、または、視聴予定時間が設定されている場合には、転送コンテンツデータの開始位置から視聴予定時間分だけ再生したときのデータの位置である。この視聴予定時間は、ユーザによって設定されてもよいし、また、目的地が自宅付近の駐車場であり、その駐車場から自宅までの距離に基づいて、カーナビ４０が自動的に設定してもよい。
【００３３】
本実施形態の携帯端末５０は、携帯電話機、または一般的にＰＤＡと呼ばれている携帯情報端末であり、ＥＥＰＲＯＭなどの書換可能な半導体型の記憶媒体を備え、且つ、その記憶媒体に記憶されているコンテンツを再生可能な装置である。また、カーナビ４０から送信されてくる転送コンテンツデータおよび中止時点情報を受信する受信装置を備えている。そして、転送コンテンツデータを受信した場合には、上記記憶媒体にその転送コンテンツデータを記憶し、中止時点情報を受信した場合には、記憶媒体に記憶した転送コンテンツデータの再生を行なう。また、携帯端末５０は、転送コンテンツデータの再生が途中で中止された場合には、中止時点情報を送信することができる。
【００３４】
再生装置６０は、第１実施形態の第２再生装置２２と同様の構成を備えている。ただし、携帯端末５０との間で通信が可能な通信装置を備えている点では第２再生装置２２と相違する。本実施形態では、この再生装置６０はユーザの自宅に設置されている。
【００３５】
再生装置６０は、携帯端末５０から送信された中止時点情報を受信し、且つ、中止時点情報に含まれているコンテンツ特定情報によって特定されるコンテンツが、自身に装着されている記憶媒体に記憶されており、ユーザによって再生開始指示操作が行なわれた場合には、中止時点情報に含まれる中止位置情報に基づいて定まる位置から、記憶媒体に記憶されているコンテンツの再生を開始する。
【００３６】
次に、第２実施形態の情報視聴システム１０を用いたコンテンツの再生処理の流れを、図３、４のフローチャートを用いて説明する。図３は、カーナビ４０が実行する処理であり、この処理は所定周期で繰り返し実行する。
【００３７】
まず、ステップＳ３１では、連続再生モードをオンにする操作がユーザによって行なわれたか否かを判断する。この判断が否定判断である場合には、このステップＳ３１の判断を繰り返す。一方、この判断が肯定判断となった場合には、ステップＳ３２へ進み、連続再生モードをオンに設定する。その後、ステップＳ３３にて連続再生モード処理へ入る。
【００３８】
このステップＳ３３の連続再生モード処理は、カーナビ４０に加えて、携帯端末５０および再生装置６０も動作する処理である。図４は、この連続再生モード処理の内容を示すフローチャートであり、目的地として、自宅付近の駐車場が設定されている場合にこの図４に示す処理を開始する。なお、目的地の設定は、連続再生モードがオンにされる前に行われてもよい。
【００３９】
まず、ステップＳ４１では、目的地（自宅付近の駐車場）への到着予想時刻を算出する。続くステップＳ４２では、目的地から自宅までの所要時間を設定する。この所要時間の算出は、前述のように、自宅までの距離に基づいてカーナビ４０が算出してもよいし、ユーザが設定してもよい。
【００４０】
続くステップＳ４３では、転送コンテンツデータのデータ量を算出する。この転送コンテンツのデータ量は、ステップＳ４２で算出した所要時間の間に再生するデータ量である。  続くステップＳ４４では、予め記憶されている単位時間当たりのデータ伝送量と、上記ステップＳ４３で算出したデータ量とに基づいて、データ転送時間を算出する。
【００４１】
ステップＳ４５では、転送コンテンツデータを作成する。この転送コンテンツデータの開始位置は、目的地到着時点にて予想される再生位置、または、その再生位置から目的地到着時刻の誤差を考慮した再生位置であり、ステップＳ４１で算出した到着予想時刻に基づいて決定する。転送コンテンツデータの終了位置は、転送コンテンツデータの開始位置から視聴予定時間分だけ再生したときのデータの位置である。
【００４２】
そして、ステップＳ４６では、ステップＳ４５で作成した転送コンテンツデータを携帯端末５０へ送信する。この送信は、少なくとも、ステップＳ４１で算出した到着予想時刻よりもステップＳ４４で算出したデータ転送時間だけ前から開始する。
【００４３】
ステップＳ４７では、目的地に到着したか否かを判断する。この判断が否定判断であるうちは、ステップＳ４７を繰り返す。そして、肯定判断となった場合にはステップＳ４８へ進む。
【００４４】
ステップＳ４８では、コンテンツの視聴が中止された場合、そのコンテンツの中止時点情報を自動的に携帯端末５０へ送信する。この中止時点情報は、前述のように、コンテンツ特定情報と中止位置情報とを含むものである。このステップＳ４８の処理を実行すると、カーナビ４０における連続再生モードの処理は終了する。
【００４５】
次に、携帯端末５０における連続再生モードの処理を説明する。携帯端末５０は、カーナビ４０から送信された転送コンテンツデータを受信すると、受信した転送コンテンツデータを、自身に装着されている記憶媒体に記憶する（ステップＳ５１）。
【００４６】
そして、カーナビ４０から中止時点情報が送信され、それを受信した場合には、受信した中止時点情報に基づいて、カーナビ４０での中止位置から、転送コンテンツデータの再生を行なう。
【００４７】
ステップＳ５３では再生装置６０を発見したか否かを判断する。この判断は、携帯端末５０と再生装置６０が互いに通信可能な範囲に位置しているか否かを判断するものであり、たとえば、次の処理によって判断を行なう。すなわち、携帯端末５０または再生装置６０がポーリング信号を定期的に送信し、そのポーリング信号を受信した他方の装置がポーリング応答を返信すると肯定判断となる。
【００４８】
そして、ステップＳ５３が肯定判断となった状態でユーザによって携帯端末５０の転送釦が押下されると、中止時点情報が形態端末５０から再生装置６０へ送信される（ステップＳ５４）。この中止時点情報は、この中止時点情報の送信時点において再生されていたコンテンツのコンテンツ特定情報および送信時点での中止位置情報を含むものである。この中止位置情報としては、たとえば、カーナビ４０での再生時間を含めたトータルの再生時間を示す情報である。このステップＳ５４の処理を実行すると、携帯端末５０における連続再生モードの処理は終了する。
【００４９】
次に、再生装置６０における連続再生モードの処理を説明する。再生装置６０の連続再生モードの処理は図５に示ししている。まず、ステップＳ６１では、再生準備がＯＫであるか否かを判断する。ここでの再生準備とは、この再生装置６０が電源ＯＮ状態であることなど、ディスク１が装着されるだけで、そのディスク１に記憶されているコンテンツデータの再生を行なうことができるようにするための準備である。このステップＳ６１の判断が否定判断であればこのステップＳ６１を繰り返す。
【００５０】
一方、ステップＳ６１が肯定判断となった場合にはステップＳ６２へ進む。ステップＳ６２では、ディスク１が挿入されたか否かを判断する。この判断は、コンテンツ特定情報が示すコンテンツが記憶されている記憶媒体が装着されたか否かを判断するものである。なお、ディスク１の挿入は、中止時点情報が再生装置６０へ送信される前に行われてもよい。
【００５１】
上記ステップＳ６２の判断が否定判断であればこのステップＳ６２を繰り返し、肯定判断であればステップＳ６３へ進む。ステップＳ６３では、携帯端末５０から送信された中止時点情報をもとに、中止位置からディスク１に記憶されているコンテンツの再生を開始する。
【００５２】
以上、説明した第２実施形態によれば、車両での移動中にコンテンツの視聴を中止した場合に、携帯端末５０でそのコンテンツの視聴を再開することができる。しかも、転送コンテンツデータが携帯端末５０に送信されることから、ディスク１を携帯端末５０に装着する必要もない。そのため、携帯端末５０がディスク１を装着不能であっても、携帯端末５０にて中止位置から視聴を再開することができる。従って、自宅付近の駐車場から自宅まで徒歩で移動する時間も利用して、カーナビ４０にて視聴していたコンテンツを続きから視聴することができる。
【００５３】
さらに、この第２実施形態によれば、携帯端末５０から、さらに、自宅に設置されている再生装置６０へコンテンツの視聴を引き継ぐことができることから、携帯端末５０にてコンテンツの視聴が終了しなかった場合には、続きを自宅に設置されている再生装置６０にて視聴することができる。
【００５４】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００５５】
たとえば、前述のシステム１０、３０は、ディスク１に記憶されているコンテンツの視聴を別な装置にて続きから行うシステムであったが、同じ放送を別な装置にて継続して視聴するようにしてもよい。この場合には、第１視聴装置は、放送の視聴が中止された場合、中止時点情報として、視聴が中止されたときの放送のチャンネル情報を第２視聴装置へ送信することになる。そして、その中止時点情報（チャンネル情報）を受信した第２視聴装置は、中止時点情報に基づいて定まるチャンネルの放送の受信および出力を開始する。このようにすれば、ユーザは、放送のチャンネルを設定することなく、ラジオ放送やテレビ放送の視聴を第２視聴装置で再開することができる。
【００５６】
また、前述の実施形態では、記憶媒体としてディスク１を例示したが、他の着脱可能な記憶媒体を用いることもできる。また、第１視聴装置で再生していたコンテンツが第２視聴装置の記憶媒体に記憶されていれば、第１視聴装置から記憶媒体を取り出して第２視聴装置へその取り出した記憶媒体を装着しなくてもよい。従って、記憶媒体がハードディスク装置など、着脱不能な記憶媒体であってもよい。
【図面の簡単な説明】
【００５７】
【図１】本発明の第１実施形態の情報視聴システム１０の構成を示す図である。
【図２】第２実施形態の情報視聴システム３０の構成を示す図である。
【図３】第２実施形態においてカーナビ４０が実行する処理を示す図である。
【図４】連続再生モード処理の内容を示すフローチャートである。
【図５】再生装置６０の連続再生モードの処理を示す図である。
【符号の説明】
【００５８】
１：ディスク、      １０：情報視聴システム、      ２１：第１再生装置（第１視聴装置）、      ２２：第２再生装置（第２視聴装置）、      ３０：情報視聴システム、      ４０：カーナビゲーションシステム（第１視聴装置）、      ４１：操作スイッチ、      ５０：携帯端末（第２視聴装置）、      ６０：再生装置（第３視聴装置）、      ２１１：ディスプレイ
【図１】
2009201068.tif 000003
【図２】
2009201068.tif 000004
【図３】
2009201068.tif 000005
【図４】
2009201068.tif 000006
【図５】
2009201068.tif 000007